(57)【要約】【課題】メディカルテープ、サージカルテープなど粘着テープ巻束体において、切断端部を、簡単に、且つ、確実に見分けることができ極めて省力的に使うことができる切断端部判別手段を備えた粘着テープ巻束体を提供すること。【解決手段】裏面に粘着剤層を備えた粘着テープ２を紙管コア３のまわりに巻き取ってなり、その巻き長さ方向に沿って所望の使用量毎に切断しつつ使用する粘着テープ巻束体１であって、前記粘着テープ２の表面２ａに、該巻束体側の切断端部４を判別するための切断端部判別手段６を設けてなり、前記切断端部判別手段６が、前記巻束体側の切断端部４の表面と、その直下層の粘着テープ部位５の表面との間に、テープ幅方向に位相ずれを生じる表示７によって形成されるものからなることを特徴とする切断端部判別手段を備えた粘着テープ巻束体。【選択図】図１
0003132404.tif 000002
【実用新案登録請求の範囲】
【請求項１】
裏面に粘着剤層を備えた粘着テープを紙管コアのまわりに巻き取ってなり、その巻き長さ方向に沿って所望の使用量毎に切断しつつ使用する粘着テープ巻束体であって、
前記粘着テープの表面に、該巻束体側の切断端部を判別するための切断端部判別手段を設けてなり、前記切断端部判別手段が、前記巻束体側の切断端部の表面と、その直下層の粘着テープ表面との間に、テープ幅方向に位相ずれを生じる表示によって形成されるものからなることを特徴とする切断端部判別手段を備えた粘着テープ巻束体。
【請求項２】
前記切断端部判別手段における表示が、前記粘着テープにおける幅方向一側縁の点Ｐ１から他側縁の点Ｐ２に向けてテープ長さ方向に沿って傾斜してのびる第１の傾斜直線と、前記点Ｐ２から１ピッチ目の点Ｐ１に向けてテープ長さ方向に沿って傾斜してのびる第２の傾斜直線とからなり、前記第１の傾斜直線と第２の傾斜直線とを１ピッチとして粘着テープの長さ方向に連続的に形成してなることを特徴とする請求項１に記載の切断端部判別手段を備えた粘着テープ巻束体。
【請求項３】
前記切断端部判別手段における表示中、奇数番目のピッチにおける第１および第２の傾斜直線と、偶数番目のピッチにおける第１および第２の傾斜直線が異なる種類の線でなることを特徴とする請求項１あるいは請求項２に記載の切断端部判別手段を備えた粘着テープ巻束体。
【請求項４】
前記奇数番目のピッチにおける第１および第２の傾斜直線が細線であり、前記偶数番目のピッチにおける第１および第２の傾斜直線が太線でなることを特徴とする請求項３に記載の切断端部判別手段を備えた粘着テープ巻束体。
【請求項５】
前記奇数番目のピッチにおける第１および第２の傾斜直線と、前記偶数番目のピッチにおける第１および第２の傾斜直線とを色分けしたことを特徴とする請求項３に記載の切断端部判別手段を備えた粘着テープ巻束体。
【請求項６】
前記切断端部判別手段における表示が、文字列、記号列、紋様列、模様列あるいはこれらに類する表示列でなることを特徴とする請求項１に記載の切断端部判別手段を備えた粘着テープ巻束体。
【考案の詳細な説明】
【技術分野】
【０００１】
この考案は、多層に巻き取られた粘着テープ巻束体、特に、メディカルテープ、サージカルテープあるいはホワイトテープなどと称して、ベース素材が、布、不織布、プラスチックフィルムあるいは紙などの半透明ないしは不透明なものからなる粘着テープの構造に関するものである。
【背景技術】
【０００２】
周知のように、裏面に粘着剤層を備えた粘着テープを多層に巻き取って製品化した粘着テープ巻束体が良く知られている。この粘着テープ巻束体として代表的なものは、セロファンテープである。このセロファンテープは、透明性を有するセロファンの片方の面に粘着剤層を設けた構造のものである。このセロファンテープを使用する場合には、一般的には、該セロファンテープをテープホルダーにセットし、該テープホルダーにおけるカッターによって使用量分だけ切断して使用するか、あるいは、一巻きに一個付随している簡易カター金具によって使用量分だけ切断しながら使用するものであり、切断後、巻束体側の切断端部は、テープホルダーにおけるカッター部、あるいは、簡易カター金具におけるカッター部に付着していて、次に使用する際、該粘着テープの切断端部を探し出す必要がなかった。
【０００３】
しかしながら、上記する粘着テープのうち、ベースになる素材が、布、不織布、プラスチックフィルムあるいは紙などでなり、メディカルテープ、サージカルテープあるいはホワイトテープなどとして提供されているものは、医療用並びに治療用のものが殆どであり、衛生上の問題などから、上記するようなカッター付きテープホルダーあるいは簡易カター金具などを使用することができず、使用量分だけ剥がして使用した後、手で千切って、その巻束体側の切断端部を巻束体側外周面に貼り付けていた。
【０００４】
これを、次に使用する場合、巻束体側の切断端部、すなわち、次に使用する使用先端部が、粘着テープ巻束体における直下の巻層と重なり合って、充分に識別することができないため、当該切断端部を探し出して剥がし取ることが極めて困難であった。この原因は、ベースとなるテープが薄層であり、半透明あるいは不透明の素材によって構成されているため、巻束体側の切断端部が直下の巻層の表面と馴染んでしまい、視覚的に全く同一様になってしまい、該切断端部を探し出すことは常用者においても労力をようするものであって、当該問題点の解決が望まれていた。
【考案の開示】
【考案が解決しようとする課題】
【０００５】
そこで、この考案は、上記する従来の問題点を解消するべくなしたものであって、特に、粘着テープ巻束体側の切断端部を、簡単に、且つ、確実に見分けるための切断端部判別手段を粘着テープの表面に設け、この切断端部判別手段を、巻束体側の切断端部の表面と、その直下層の粘着テープ表面との間に、テープ幅方向に位相ずれを生じる表示によって形成して、該切断端部を極めて容易に探し出し得るようにした切断端部判別手段を備えた粘着テープ巻束体を提供することにある。
【課題を解決するための手段】
【０００６】
この考案は、上記する目的を達成するにあたって、請求項１に記載の考案は、裏面に粘着剤層を備えた粘着テープを紙管コアのまわりに巻き取ってなり、その巻き長さ方向に沿って所望の使用量毎に切断しつつ使用する粘着テープ巻束体であって、
前記粘着テープの表面に、該巻束体側の切断端部を判別するための切断端部判別手段を設けてなり、前記切断端部判別手段が、前記巻束体側の切断端部の表面と、その直下層の粘着テープ表面との間に、テープ幅方向に位相ずれを生じる表示によって形成されるものからなることを特徴とする切断端部判別手段を備えた粘着テープ巻束体を構成するものである。
【０００７】
さらに、この考案において請求項２に記載の考案は、請求項１に記載の切断端部判別手段を備えた粘着テープ巻束体であって、前記切断端部判別手段における表示が、前記粘着テープにおける幅方向一側縁の点Ｐ１から他側縁の点Ｐ２に向けてテープ長さ方向に沿って傾斜してのびる第１の傾斜直線と、前記点Ｐ２から１ピッチ目の点Ｐ１に向けてテープ長さ方向に沿って傾斜してのびる第２の傾斜直線とからなり、前記第１の傾斜直線と第２の傾斜直線とを１ピッチとして粘着テープの長さ方向に連続的に形成してなることを特徴とするものである。
【０００８】
さらにまた、この考案において請求項３に記載の考案は、請求項１あるいは請求項２に記載の切断端部判別手段を備えた粘着テープ巻束体であって、前記切断端部判別手段における表示中、奇数番目のピッチにおける第１および第２の傾斜直線と、偶数番目のピッチにおける第１および第２の傾斜直線が異なる種類の線でなることを特徴とするものである。
【０００９】
さらにまた、この考案において請求項４に記載の考案は、請求項３に記載の切断端部判別手段を備えた粘着テープ巻束体であって、  前記奇数番目のピッチにおける第１および第２の傾斜直線が細線であり、前記偶数番目のピッチにおける第１および第２の傾斜直線が太線でなることを特徴とするものである。
【００１０】
さらにまた、この考案において請求項５に記載の考案は、請求項３に記載の切断端部判別手段を備えた粘着テープ巻束体であって、前記奇数番目のピッチにおける第１および第２の傾斜直線と、前記偶数番目のピッチにおける第１および第２の傾斜直線とを色分けしたことを特徴とするものである。
【００１１】
さらにまた、この考案において請求項６に記載の考案は、請求項１に記載の切断端部判別手段を備えた粘着テープ巻束体であって、切断端部判別手段６における表示が、文字列、記号列、紋様列、模様列あるいはこれらに類する表示列でなることを特徴とする請求項１に記載の切断端部判別手段を備えた粘着テープ巻束体。
【考案の効果】
【００１２】
この考案になる切断端部判別手段を備えた粘着テープ巻束体によれば、粘着テープ表面に、巻束体側の切断端部を判別するための切断端部判別手段を設けたものであって、この切断端部判別手段が、巻束体側の切断端部の表面と、その直下層の粘着テープ表面との間に、テープ幅方向に位相ずれを生じる表示によって形成されているので、切断端部を極めて容易に探し出し得るという点において極めて有効に作用するものといえる。
【００１３】
さらに、この考案になる切断端部判別手段を備えた粘着テープ巻束体によれば、切断端部判別手段における表示が、粘着テープにおける幅方向一側縁の点Ｐ１から他側縁の点Ｐ２に向けてテープ長さ方向に沿って傾斜してのびる第１の傾斜直線と、前記点Ｐ２から１ピッチ目の点Ｐ１に向けてテープ長さ方向に沿って傾斜してのびる第２の傾斜直線とからなり、前記第１の傾斜直線と第２の傾斜直線とを１ピッチとして粘着テープの長さ方向に連続的に形成したものであって、極めて簡単な構成のものであり、多量生産に適合し、経済的にも極めて有利に作用するものといえる。
【００１４】
さらに、この考案になる切断端部判別手段を備えた粘着テープ巻束体によれば、切断端部判別手段における表示のうち、奇数番目のピッチにおける第１および第２の傾斜直線を細線であらわし、偶数番目のピッチにおける第１および第２の傾斜直線を太線であらわすことにより、さらには、奇数番目のピッチにおける第１および第２の傾斜直線と偶数番目のピッチにおける第１および第２の傾斜直線とを色分けすることにより、切断端部の判別をより確かなものとすることができ、且つ、今までにないファッショナブルな製品とすることができるなど、極めて有効に作用するものといえる。
【考案を実施するための最良の形態】
【００１５】
以下、この考案になる切断端部判別手段を備えた粘着テープ巻束体について、図面に示す具体的な実施例に基づいて詳細に説明する。図１は、この考案になる切断端部判別手段を備えた粘着テープ巻束体を示すものであり、図１Ａは、千切れた切断端部の状態を示す概略的な斜視図であり、図１Ｂは、この切断端部を剥がし始めた状態を示す概略的な斜視図である。図２は、この考案になる切断端部判別手段を備えた粘着テープ巻束体の構成を説明するための図であって、図２Ａは、当該粘着テープ巻束体の概略的な側面図であり、図２Ｂは、図２Ａにおける２Ｂ−２Ｂ線に沿って矢視方向に見た概略的な断面図である。
【００１６】
一方、図３は、この考案において、切断端部判別手段の構成を説明するとともに、幾つかの好ましい実施例を示すべく粘着テープを長さ方向に展開した図であって、図３Ａは、１ピッチ（点Ｐ１から次の点Ｐ１までの距離）を比較的長い寸法（４００ｍｍ）に設定した例を示す概略的な展開平面図、図３Ｂは、１ピッチを比較的短い寸法（２００ｍｍ）に設定した例を示す概略的な展開平面図、図３Ｃは、奇数番目のピッチにおける第１および第２の傾斜直線を細線であらわし、偶数番目のピッチにおける第１および第２の傾斜直線を太線であらわした例を示す概略的な展開平面図、図３Ｄは、部分的に着色した部分を有する構成例を示す概略的な展開平面図である。
【００１７】
先ず、この考案が適用される粘着テープ巻束体について説明する。この粘着テープ巻束体１は、例えば、メディカルテープ、サージカルテープあるいはホワイトテープなどと称する製品化されたものであって、ベース素材が、布、不織布、プラスチックフィルムあるいは紙などの半透明ないしは不透明なものからなっている。この種の粘着テープは、多数の通気孔があって通気性に優れ、肌に貼り付けた際に刺激が少なく、かぶれにくく、且つ、水に濡れても剥がれにくく、体のどの部分にもフィットするなどの特性を有するものであって、ガーゼ、脱脂綿、包帯などの固定、シップ剤の固定、カテーテルの固定、パッドの固定など極めて幅広く使用されているものである。
【００１８】
この粘着テープ巻束体において、ベースとなるテープ素材としては、レーヨン素材を使用した布テープ、あるいは、その不織布テープ、メッシュ状の不織布テープ、表面つや消し加工を施したポリエチレン素材のポリエチレンテープ、さらには、紙を素材とする紙テープとがある。粘着剤としては、肌に刺激の少ない、アクリル系粘着剤が用いられ、全体として、しなやかさ、通気性、透湿性に富み、ムレ、かぶれが少なく、高い粘着力並びに長期保存力を有するものからなっている。
【００１９】
既存のメディカルテープ、サージカルテープあるいはホワイトテープは、テープの幅寸法並びに一巻きの長さ寸法が表示され各種市販されている。一般的に、この種の粘着テープ巻束体の規格によれば、一巻きの長さ寸法は、９ｍ〜１０ｍ、その半分の４．５ｍ〜５ｍが準備されており、テープ幅寸法は、１０ｍｍ、１２ｍｍ、１８ｍｍ、２５ｍｍ、５０ｍｍ、７５ｍｍなどが準備されている。
【００２０】
この考案になる切断端部判別手段を備えた粘着テープ巻束体について、図１〜図３に示す実施例に基づいて説明する。この粘着テープ巻束体１は、紙管コア３に粘着テープ２を巻き取った構成のものであり、実際には、一巻きの長さ寸法が９ｍで、テープ幅寸法が１２ｍｍのものに基づいて適用した。この実施例のものを図２のように示すと、最外周径の半径ｒ１が、ｒ１＝２３ｍｍ程度であり、最内周径の半径ｒ２が、ｒ２＝１５ｍｍ程度であった。
【００２１】
この実施例の場合、最外周を占めるテープの長さ寸法は、２πｒ１であり、これをＬ１とするとＬ１＝１４４．４４ｍｍである。最内周におけるテープの長さ寸法は、２πｒ２であり、これをＬ２とするとＬ２＝９４．２０ｍｍである。即ち、当該粘着テープ巻束体１における切断端部４から直下の次層部位５までの周長は、最長１４４．４４ｍｍから最短９４．２０ｍｍの範囲で変位していく。
【００２２】
一方これに対して、この考案では、粘着テープ２の表面２aに、該巻束体１側の切断端部４を判別するための切断端部判別手段６を設ける。この切断端部判別手段６は、巻束体１側の切断端部４の表面と、その直下層の粘着テープ部位５の表面との間に、テープ幅方向に位相ずれを生じる表示７によって形成したものからなっている。
【００２３】
この考案では、切断端部判別手段６における表示７は、粘着テープ２における幅方向一側縁Ｓ１の点Ｐ１から他側縁Ｓ２の点Ｐ２に向けてテープ長さ方向に沿って傾斜してのびる第１の傾斜直線７Ａと、前記点Ｐ２から１ピッチ目の点Ｐ１に向けてテープ長さ方向に沿って傾斜してのびる第２の傾斜直線７Ｂとからなり、前記第１の傾斜直線７Ａと第２の傾斜直線７Ｂとを１ピッチとして粘着テープ２の長さ方向に連続的に形成してなっている。
【００２４】
この場合、図３Ａに示す実施例のものは、１ピッチ（点Ｐ１から次の点Ｐ１までの距離）を４００ｍｍに設定し、図３Ｂに示す実施例のものは、１ピッチを２００ｍｍに設定した。図３Ａに示す実施例では、点Ｐ１から点Ｐ２までの半ピッチの間に、Ｌ１およびＬ２の長さ寸法が入るように設定してあり、図３Ｂに示す実施例では、点Ｐ１から次の点Ｐ１までの１ピッチの間に、Ｌ１およびＬ２の長さ寸法が入るように設定した。これらの実施例から、図３Ｂに示す実施例のもの方が、図３Ａに示す実施例のものより、巻束体１側の切断端部４の表面と、その直下層の粘着テープ部位５の表面との間に生じるテープ幅方向の位相ずれが大きかった。
【００２５】
さらに、この考案では、前記切断端部判別手段６における表示７中、奇数番目のピッチにおける第１および第２の傾斜直線７Ａ、７Ｂと、偶数番目のピッチにおける第１および第２の傾斜直線７ａ、７ｂとを異なる種類の線で構成するものであってもよい。この場合、奇数番目のピッチにおける第１および第２の傾斜直線７Ａ、７Ｂを細線であらわし、偶数番目のピッチにおける第１および第２の傾斜直線７ａ、７ｂを太線であらわすものであってもよいし、あるいは、奇数番目のピッチにおける第１および第２の傾斜直線７Ａ、７Ｂと、偶数番目のピッチにおける第１および第２の傾斜直線７ａ、７ｂとを色分けしたもので構成してもよい。
【００２６】
さらに、この考案では、例えば、図３Ｄに示すように、第１および第２の傾斜直線で仕切られる部分を部分的に着色しておくこともできる。
【００２７】
さらに、この考案では、前記切断端部判別手段６における表示７を、前記第１および第２の傾斜直線に変えて、文字列、記号列、紋様列、模様列、あるいはこれらに類する表示列によって構成することもできる。
【図面の簡単な説明】
【００２８】
【図１】図１は、この考案になる切断端部判別手段を備えた粘着テープ巻束体を示すものであり、図１Ａは、千切れた切断端部の状態を示す概略的な斜視図であり、図１Ｂは、この切断端部を剥がし始めた状態を示す概略的な斜視図である。
【図２】図２は、この考案になる切断端部判別手段を備えた粘着テープ巻束体の構成を説明するための図であって、図２Ａは、当該粘着テープ巻束体の概略的な側面図であり、図２Ｂは、図２Ａにおける２Ｂ−２Ｂ線に沿って矢視方向に見た概略的な断面図である。
【図３】図３は、この考案において、切断端部判別手段の構成を説明するとともに、幾つかの好ましい実施例を示すべく粘着テープを長さ方向に展開した図であって、図３Ａは、１ピッチ（点Ｐ１から次の点Ｐ１までの距離）を比較的長い寸法（４００ｍｍ）に設定した例を示す概略的な展開平面図、図３Ｂは、１ピッチを比較的短い寸法（２００ｍｍ）に設定した例を示す概略的な展開平面図、図３Ｃは、奇数番目のピッチにおける第１および第２の傾斜直線を細線であらわし、偶数番目のピッチにおける第１および第２の傾斜直線を太線であらわした例を示す概略的な展開平面図、図３Ｄは、部分的に着色した部分を有する構成例を示す概略的な展開平面図である。
【符号の説明】
【００２９】
１  粘着テープ巻束体
２  粘着テープ
２a  粘着テープの表面
３  紙管コア
ｒ１  粘着テープ巻束体最外周径の半径
ｒ２  粘着テープ巻束体最内周径の半径
Ｌ１  最外周を占めるテープの長さ寸法
Ｌ２  最内周を占めるテープの長さ寸法
４  切断端部
５  切断端部直下の次層部位
６  切断端部判別手段
７  表示
７Ａ、７Ｂ  奇数番目のピッチにおける第１および第２の傾斜直線
７ａ、７ｂ  偶数番目のピッチにおける第１および第２の傾斜直線
Ｓ１  粘着テープの幅方向一側縁
Ｓ２  粘着テープの幅方向他側縁
Ｐ１  一側縁の点
Ｐ２  他側縁の点
【図１】
0003132404.tif 000003
【図２】
0003132404.tif 000004
【図３】
0003132404.tif 000005